(57)【要約】【課題】組み合わせアース端子から導出される電線の結束状態を安定化させる。【解決手段】各アース端子１〜４が組み合わされたときに各電線接続部１Ｂ〜４Ｂが各電線Ｗ１、Ｗ２が略同一方向に並列して導出される電線付き組み合わせアース端子であって、並列して導出される各電線Ｗ１、Ｗ２のうち並び方向の中央部には大径電線Ｗ１が配され、この大径電線Ｗ１を並び方向から挟んで小径電線Ｗ２が配されている。このようにすれば、各電線Ｗ１、Ｗ２をテープ巻きした場合に、テープＴを確実に電線Ｗ１、Ｗ２と接着させることができたため、電線Ｗ１、Ｗ２の結束状態を安定化させることができる。【選択図】図７
2015170479.tif 000002
【特許請求の範囲】
【請求項１】
ボルトが挿通可能な差し込み孔を有する接地部とこの接地部と一体に形成され前記電線と接続可能な電線接続部とを備え、前記接地部に形成された連結部同士を連結させることで３枚以上が組み合わせ可能となるアース端子であって、
前記電線接続部は前記電線の被覆部分を圧着するインシュレーションバレルを有し、このインシュレーションバレルには一対のバレル片が備えられ、
３枚以上が組み合わされた前記アース端子には前記バレル片の長さが異なる種類のものが含まれており、前記各アース端子が組み合されて前記各アース端子の前記インシュレーションバレルが略同一方向を向いて並列したときに、その並び方向内側に前記バレル片の長い前記インシュレーションバレルが配置され、並び方向外側に前記バレル片の短い前記インシュレーションバレルが配置されることを特徴とする組み合わせアース端子。
【請求項２】
ボルトが挿通可能な差し込み孔を有する接地部とこの接地部と一体に形成された電線接続部とを備え、前記接地部に形成された連結部同士を連結させることで
３枚以上が組み合わせ可能となるアース端子と、
前記電線接続部に接続される電線とを備え、
前記各アース端子が組み合されたときに前記各電線が略同一方向に並列して導出される電線付き組み合わせアース端子であって、
前記並列して導出される各電線のうち並び方向の中央部には大径電線が配され、この大径電線を並び方向から挟んで小径電線が配されていることを特徴とする電線付き組み合わせアース端子。
【請求項３】
前記大径電線はアルミニウム製の芯線を備えたアルミ電線であり、前記小径電線は銅製の芯線を備えた銅電線であることを特徴とする請求項２に記載の電線付き組み合わせアース端子。
【発明の詳細な説明】
【技術分野】
【０００１】
本発明は、組み合わせアース端子及びこの組み合わせアース端子にそれぞれ電線が接続された電線付き組み合わせアース端子に関するものである。
【背景技術】
【０００２】
従来より、複数のアース端子を組み合わせて一つのアースポイントに一括して接続することを可能にする組み合わせアース端子が知られている。一例として下記特許文献１のものを挙げることができる。
【０００３】
ここ開示されたアース端子は、組み合われたときに各アース端子のボルト孔が整合して連通するとともに、各アース端子に接続された電線が略同一方向に導出されるようになっている。このようにすれば、電線の配索スペースも小さくて済み、導出された各電線がばらけないようテープ巻きによって結束しておくこともできる。
【先行技術文献】
【特許文献】
【０００４】
【特許文献１】特開２００９−２５２４０５号公報
【発明の概要】
【発明が解決しようとする課題】
【０００５】
ところで、このように複数のアース端子を組み合わせる場合には、これらアース端子に接続される電線径が大小異なる場合があり得る。そのような場合に、例えば小径の電線の両側に大径の電線が並んでいると、テープ巻きした場合に、中央の小径電線ではテープが浮いてしまい、結束状態が不安定化する虞がある。
【０００６】
本発明は上記のような事情に基づいて完成されたものであって、結束状態を安定化させることができる組み合わせアース端子及び電線付き組み合わせアース端子を提供することを目的とする。
【課題を解決するための手段】
【０００７】
本発明の組み合わせアース端子は、ボルトが挿通可能な差し込み孔を有する接地部とこの接地部と一体に形成され電線と接続可能な電線接続部とを備え、接地部に形成された連結部同士を連結させることで３枚以上が組み合わせ可能となるアース端子であって、電線接続部は電線の被覆部分を圧着するインシュレーションバレルを有し、このインシュレーションバレルには一対のバレル片が備えられ、
３枚以上が組み合わされたアース端子にはバレル片の長さが異なる種類のものが含まれており、各アース端子が組み合されて各アース端子のインシュレーションバレルが略同一方向を向いて並列したときに、その並び方向内側にバレル片の長いインシュレーションバレルが配置され、並び方向外側にバレル片の短いインシュレーションバレルが配置されることを特徴とする。
なお、上記構成における「電線」とは、必ずしも一本の電線に限らず、複数本の電線を束ねたものを含む。
【０００８】
また、本発明の電線付き組み合わせアース端子は、ボルトが挿通可能な差し込み孔を有する接地部とこの接地部と一体に形成された電線接続部とを備え、接地部に形成された連結部同士を連結させることで３枚以上が組み合わせ可能となるアース端子と、電線接続部に接続される電線とを備え、各アース端子が組み合されたときに各電線が略同一方向に並列して導出される電線付き組み合わせアース端子であって、並列して導出される各電線のうち並び方向の中央部には大径電線が配され、この大径電線を並び方向から挟んで小径電線が配されていることを特徴とする。
なお、上記構成における「大径電線」あるいは「小径電線」とは、必ずしも一本の電線の外径の大小に基づいて定義される場合に限定されるのでなく、複数本の電線が束ねられた状態での全体外径の大小に基づいて定義される場合も含む。
【発明の効果】
【０００９】
本発明の組み合わせアース端子によれば、バレル片が長いインシュレーションバレルには大径の電線が、バレル片の短いインシュレーションバレルには小径の電線がそれぞれ接続可能である。そして、各アース端子が組み合された状態では、バレル片の長いインシュレーションバレル、つまり大径電線が並び方向の内側に、バレル片の短いインシュレーションバレル、つまり小径電線が並び方向の外側に配置される。したがって、導出された各電線を一括してテープ巻きするような場合に、各電線がテープの粘着面に接着されるため、電線の結束状態を安定化させることができる。
【００１０】
本発明の電線付き組み合わせアース端子においても、上記と同様に、電線の結束状態を安定化させることができる。
【図面の簡単な説明】
【００１１】
【図１】第１ペアを構成する両アース端子を示す平面図
【図２】第２ペアを構成する両アース端子を示す平面図
【図３】係止枠と係止爪とを示す斜視図
【図４】各アース端子の組み合わせ工程を示す平面図
【図５】図５のＡ矢視方向から見た一部破断図
【図６】図５のＢ−Ｂ線断面図
【図７】図５のＣ−Ｃ線断面図
【図８】大径電線を外側に配置してテープ巻きした状態を示す断面図
【発明を実施するための形態】
【００１２】
本発明における好ましい実施の形態を説明する。
（１）本発明の電線付き組み合わせアース端子は、各アース端子の前記電線接続部は前記電線の被覆部分を圧着するインシュレーションバレルを有し、このインシュレーションバレルには前記電線の延び方向と交差する方向に延出する一対のバレル片が設けられ、前記大径電線が接続された前記アース端子の前記バレル片は、前記小径電線が接続された前記アース端子の前記バレル片よりも長く形成されていて、前記大径電線が接続された前記アース端子における前記インシュレーションバレルのクリンプハイトは前記小径電線が接続された前記アース端子における前記インシュレーションバレルのクリンプハイトよりも高くなっている構成とすることが好ましい。
大径電線を接続するアース端子にはインシュレーションバレルのバレル片の長いものを用い、小径電線を接続するアース端子にはより短いものを用いて、各電線の並び方向に関して小径電線が内側となるようにしてアース端子を組み合わせる。このようにすれば、小径電線が大径電線を並び方向で挟むようにして配置することができるため、電線の結束状態を安定化させることができる。
（２）前記大径電線はアルミニウム製の芯線を備えたアルミ電線であり、前記小径電線は銅製の芯線を備えた銅電線であるようにしてもよい。
アース端子がアースポイントに接続された状態で、電線全体がアース端子に近い部位で曲げられると、電線の曲げ部には大きな曲げの反力が作用する。一方、上記の構成によれば、アルミ電線は銅電線の内側に配されているため、電線全体が曲げられたときに最内周部には銅電線が位置する。したがって、アルミ電線は内周側の銅電線に比べて曲げの度合いが小さくて済む。一般に、アルミ電線は銅電線に比較して曲げの強度は劣るとされているが、上記のような配置によって、アルミ電線に作用する曲げ反力を抑制することができる。
【００１３】
＜実施例＞
次に、本発明の電線付き組み合わせアース端子を具体化した実施例について、図面を参照しつつ説明する。本実施例では、それぞれ形状の異なる４枚のアース端子１〜４を組み合わせて構成されている。まず、各アース端子１〜４で共通する構成について説明する。
【００１４】
いずれのアース端子１〜４も導電金属製の板材によって形成されている。また、各アース端子１〜４は、アース端子相互を連結して一括して接地可能な接地部１Ａ〜４Ａと、この接地部１Ａ〜４Ａに連続し電線Ｗ１、Ｗ２に接続可能な電線接続部１Ｂ〜４Ｂとからなっている。
【００１５】
接地部１Ａ〜４Ａにはボルト孔１Ｃ〜４Ｃが開口して形成されており、アースポイントに突設される図示しないスタッドボルトに差し込み可能である。また、電線接続部１Ｂ〜４Ｂには前後にワイヤバレル１Ｄ〜４Ｄとインシュレーションバレル１Ｅ〜４Ｅとが形成されている。ワイヤバレル１Ｄ〜４Ｄは一対のかしめ片１Ｄ−１〜４Ｄ−１を有し、対応する電線Ｗ１、Ｗ２の芯線部分を圧着可能である。両かしめ片１Ｄ−１〜４Ｄ−１はそれぞれが展開された状態では、電線Ｗ１、Ｗ２の延び方向と略直交する方向に張り出して形成されている。インシュレーションバレル１Ｅ〜４Ｅも一対のバレル片１Ｅ−１〜４Ｅ−１を有しており、対応する電線Ｗ１、Ｗ２の被覆部分を圧着可能である。両バレル片１Ｅ−１〜４Ｅ−１も、その展開状態では、かしめ片１Ｄ−１〜４Ｄ−１と同様に電線Ｗ１、Ｗ２の延び方向と略直交する方向に張り出し形成されている。
【００１６】
次に、各アース端子１〜４のそれぞれに特有の構成について説明する。本実施例のアース端子１〜４は二枚一組となったもの同士を連結するようにしている。図１は第１ペアＰ１を構成する二つのアース端子１、２を示しており、図２は第２ペアＰ２を構成する二つのアース端子３、４を示している。
【００１７】
図１に示すように、第１ペアＰ１を構成する第１端子１は電線接続部１Ｂの軸線に対し接地部１Ａが図示右方に張り出した位置に形成されている。第１端子１の接地部１Ａは略方形の枠状に形成されている。また、接地部１Ａにおいてボルト孔１Ｃの図示左方の部位は周辺の部位から一段低くなるように凹部領域５が形成されるとともに、この凹部領域５にはロック孔６（連結部）が貫通して形成されている。
【００１８】
一方、第１ペアＰ１を構成する第２端子２は、第１端子１とは逆に、接地部２Ａの張り出し方向は電線接続部２Ｂの軸線に対し図示左方となっている。第２端子２はボルト孔２Ｃと反対側の側縁（第１端子と対向する側の側縁）が開放して形成され、開放縁に向けて周辺領域に比べて一段高くなった隆起領域７が形成されている。この隆起領域７の下面にはロック爪８（連結部）が突出している。第１端子１と第２端子２とが組み合されるときには、第２端子２の隆起領域７が第１端子１の対向縁をくぐってボルト孔１Ｃの下面側から突き出て、第１端子１の凹部領域５に密着状態で重ね合わされる。これにより、第１端子１は第２端子２の上に重なり、かつ第１・第２の両端子１、２のボルト孔１Ｃ，２Ｃ同士が整合する。また、ロック爪８とロック孔６とが係止することで、第１・第２端子１，２とは分離が規制された状態で合体する。
【００１９】
第２端子２における接地部２Ａの先端縁には、図３に示すように係止枠９（連結部）が設けられている。この係止枠９は中央が開口し、接地部２Ａの先端縁から下方へ折り曲げられることによって形成されている。
【００２０】
また、第２端子２には大径電線Ｗ１であるアルミ電線（芯線がアルミニウムあるいはアルミニウム合金製）が接続されているのに対し、第１端子１には小径電線Ｗ２である銅電線が接続されている。このように、アルミ電線と銅電線との電線径の相違により、第２端子２におけるインシュレーションバレル２Ｅの両バレル片２Ｅ−１は、第１端子１の両バレル片１Ｅ−１よりも長く形成されている。これにより、図６に示すように、第１・第２の両端子１、２に電線Ｗ１、Ｗ２が接続された状態では、第２端子２のクリンプハイト（電線をかしめたときのバレル片の高さ：Ｈ２）は第１端子１のクリンプハイト（Ｈ１）よりも高くなっている（Ｈ２＞Ｈ１）。
【００２１】
図２に示すように、第２ペアＰ２を構成する第３端子３は第２端子２と基本的に同一構成であり、相違点は電線接続部３Ｂに対する接地部３Ａの張出方向が異なる点と、第２端子２の係止枠９に代えて係止突起１０（連結部）が突出形成されている点である（図３参照）。この係止突起１０は第１ペアＰ１と第２ペアＰ２とが組み合されるときに、係止枠９の開口内に圧入気味に差し込まれることで、両ペアＰ１、Ｐ２を連結状態とすることができる。第３端子３と共に第２ペアＰ２を構成する第４端子４は第１端子１と基本構成において同様であり、電線接続部４Ｂに対する接地部４Ａの張出し方向のみが異なる。
【００２２】
また、第３端子３には第２端子２に接続されるアルミ電線と同一径のアルミ電線（大径電線Ｗ２）が接続され、第４端子４には第１端子１に接続される銅電線と同一径の銅電線（小径電線Ｗ１）が接続されている。
【００２３】
図４に示すように、第１・第２の両ペアＰ１、Ｐ２が組み合された状態では、各アース端子１〜４の接地部１Ａ〜４Ａは、最も下位に第４端子４のものが位置し、その上に第３、第２、第１の各端子のものが積み重なり、各ボルト孔１Ｃ〜４Ｃは略同心で整合する。また、両ペアＰ１、Ｐ２が組み合された状態では、各電線接続部１Ｂ〜４Ｂは平面視でそれぞれ略平行でかつ隣接するもの同士が適切な間隔をおいた状態で並列している。但し、これら各電線接続部１Ｂ〜４Ｂの下面の高さ位置は、第４端子４から順に各端子１〜４の板厚相当分ずつ徐々に高くなっている。
【００２４】
第１・第２の両ペアＰ１、Ｐ２が組み合された状態では、各端子１〜４から引き出された４本の電線Ｗ１、Ｗ２は両側に小径の銅電線が位置し、これら銅電線の内側には大径のアルミ電線が位置し、それぞれ密着状態で並列する。そして、図４に示すように、これら電線Ｗ１、Ｗ２は各インシュレーションバレル１Ｅ〜４Ｅの後方において一括してテープ巻きされるとともに、全体は弧状に湾曲しつつ図示右方へ屈曲した状態で配索されている。
【００２５】
次に、上記のように構成された本実施例の作用効果を説明すると、本実施例では並列する４本の電線Ｗ１、Ｗ２の配列を工夫したものであり、大径電線Ｗ１（アルミ電線）を並び方向内側に、小径電線Ｗ２をその外側に配置されるようにしている。したがって、これら各電線Ｗ１、Ｗ２を一括してテープ巻きする場合に、図７に示すように、テープＴの粘着面は全ての電線Ｗ１、Ｗ２の被覆に接することができる。これに対し、図８に示すように、大径電線Ｗ１を外側に、内側に小径電線Ｗ２を並列させる配置と比較した場合には、テープＴは内側の両小径電線Ｗ２から浮いてしまい、テープＴの粘着面を小径電線Ｗ２の被覆に密着させることができなくなってしまう。その点、本実施例のような配置とすれば各電線Ｗ１、Ｗ２の結束状態を安定化させることができるため、径の異なる電線を一括してアースをとる場合に有利である。
【００２６】
また、本実施例では大径電線Ｗ１を銅電線に比較して曲げ強度の低いアルミ電線としている。図４に示すように、各電線Ｗ１、Ｗ２がインシュレーションバレル１Ｅ〜４Ｅに近い部位で曲げられていると、電線の屈曲部位には比較的大きな反力が作用している。その場合に、曲げの最も内周側、つまり曲率の最も小さくなる位置に曲げ強度の高い銅電線（小径電線Ｗ２）が配置され、その内側、つまり最内周に位置する銅電線よりは曲率が大きくなる位置にアルミ電線（大径電線Ｗ１）が配置されている。このような配置であるため、アルミ電線に作用する曲げの反力が最大化されてしまうことがなく、アルミ電線が断線に至るような事態を未然に回避することができる。
【００２７】
＜他の実施例＞
本発明は上記記述及び図面によって説明した実施例に限定されるものではなく、例えば次のような実施例も本発明の技術的範囲に含まれる。
（１）上記実施例では、４枚のアース端子１〜４を組み合わせる形式を示したが、組み合わせ数は３枚以上であればよく、限定されるべきものではない。
（２）上記実施例では、アース端子１〜４を二枚一組にしたもの同士を組み合わせるようにしたが、組み合わせ構造は限定されるべきものではない。例えば、ペアを構成せずにアース端子１〜４を順に組み合わせてゆくようにしてもよい。
【００２８】
（３）上記実施例では、車両ボディ側から立設されたスタッドボルトにボルト孔１Ｃ〜４Ｃを差し込んでナット締めする形式の組み合わせアース端子を示したが、ボディ側に埋設されたナットに対し、ボルト孔１Ｃ〜４Ｃへ差し込まれるボルトを締め込むようにしてもよい。
【符号の説明】
【００２９】
１〜４…アース端子
１Ａ〜４Ａ…接地部
１Ｂ〜４Ｂ…電線接続部
１Ｃ〜４Ｃ…ボルト孔
１Ｅ〜４Ｅ…インシュレーションバレル
６…ロック孔（連結部）
８…ロック爪（連結部）
９…係止枠（連結部）
１０…係止突起（連結部）
Ｗ１…大径電線
Ｗ２…小径電線
【図１】
2015170479.tif 000003
【図２】
2015170479.tif 000004
【図３】
2015170479.tif 000005
【図４】
2015170479.tif 000006
【図５】
2015170479.tif 000007
【図６】
2015170479.tif 000008
【図７】
2015170479.tif 000009
【図８】
2015170479.tif 000010